(57)【特許請求の範囲】
【請求項１】
電子機器本体に固着される取付台と、付属装置に固着される装着具とからなり、前記電子機器本体に前記付属装置を取付けるためのアタッチメント装置であって、
前記取付台と装着具のいずれか一方に嵌合凹部と嵌合ロック用の操作レバーを、他方に逆円錐台状の嵌合凸部を設け、
前記操作レバーはロック解除位置とロック位置との間で回動自在であり、
前記嵌合凹部の内側の側面の少なくとも一部と、該側面と対向する前記操作レバーの前記嵌合凸部の外周面と係合する面とを、該嵌合凸部の抜けを阻止するテーパ面に形成し、
前記操作レバーをロック解除位置に回動したとき、前記嵌合凸部と前記嵌合凹部とが離脱及び嵌合可能になり、該嵌合凸部を嵌合凹部に嵌合させた状態で前記操作レバーをロック位置方向へ途中まで回動させた状態にすると、前記嵌合凸部が抜け止めされて前記嵌合凹部から離脱できなくなるが回転可能であり、該操作レバーをロック位置に回動したとき、前記嵌合凸部が抜け止めされた状態でロックされるようにしたことを特徴とするアタッチメント装置。
【請求項２】
請求項１に記載のアタッチメント装置であって、前記取付台と装着具の少なくともいずれか一方に接続コードを保持あるいは収納する部材を兼ねた把持部を設けたことを特徴とするアタッチメント装置。
【発明の詳細な説明】
【０００１】
【発明の属する技術分野】
この発明は、電子鍵盤楽器等の電子機器本体にスピーカユニット等の付属装置（オプション装置）を取り付けるためのアタッチメント装置に関する。
【０００２】
【従来の技術】
電子機器本体に必要に応じで付属装置を取り付けて使用したい場合がある。例えば、可搬形電子鍵盤楽器等の電子楽器に一対のスピーカユニットを取付けて演奏したい場合がある。
従来の電子楽器は、一般にスピーカを内蔵しているので、それだけで演奏できるが、プロ用のものなどはスピーカを内蔵しておらず、大型のスピーカを別に設置し、それを接続して演奏している。
しかし、練習時や小規模の演奏会などの場合には、小型のスピーカを電子楽器本体に取り付けて演奏できると便利である。
【０００３】
【発明が解決しようとする課題】
しかしながら、従来の電子楽器には、スピーカユニットのような付属装置を簡単に着脱できるようなものはなかった。その他の各種電子機器（例えば、パーソナルコンピュータ、テレビ、コンパクトステレオ、ビデオデッキ、ラジオ付きカセットレコーダ、ＣＤプレーヤ、電子ゲーム機など）においても、付属装置（オプション装置）を接続して使用したい場合には、それを設置するスペースを別に確保し、その付属装置を接続コードによって接続して使用するのが一般的であり、その設置スペースの確保が難かしかったり、使用するときの準備に手間がかかったり、接続コードが邪魔になったり外れたりする恐れがあったりするなどの問題があった。
【０００４】
この発明は、このような現状に鑑みてなされたものであり、電子機器本体に付属装置を簡単に取り付けおよび取り外しができるようにするためのアタッチメント装置を提供することを目的とする。さらに、付属装置を電子機器本体に取り付けた状態で、その向きを任意に変えられるようにすること、あるいは、その付属装置と電子機器本体とを電気的に接続するための接続コード、付属装置又は電子機器本体と他の電子機器とを接続するケーブルや電源コードなどを容易に収納したり保護することができるようにすることも目的とする。
【０００５】
【課題を解決するための手段】
この発明は上記の目的を達成するため、電子機器本体に固着される取付台と、付属装置に固着される装着具とからなり、電子機器本体に付属装置を取付けるためのアタッチメント装置を提供する。
そのアタッチメント装置は、上記取付台と装着具のいずれか一方に嵌合凹部と嵌合ロック用の操作レバーを、他方に逆円錐台状の嵌合凸部を設け、その操作レバーはロック解除位置とロック位置との間で回動自在であり、上記嵌合凹部の内側の側面の少なくとも一部と、該側面と対向する上記操作レバーの上記嵌合凸部の外周面と係合する面とを、該嵌合凸部の抜けを阻止するテーパ面に形成し、上記操作レバーをロック解除位置に回動したとき、上記嵌合凸部と嵌合凹部とが離脱及び嵌合可能になり、その嵌合凸部を嵌合凹部に嵌合させた状態で上記操作レバーをロック位置方向へ途中まで回動させた状態にすると、上記嵌合凸部が抜け止めされて上記嵌合凹部から離脱できなくなるが回転可能であり、該操作レバーをロック位置に回動したとき、上記嵌合凸部が抜け止めされた状態でロックされるようにしたことを特徴とする。
【０００６】
上記嵌合ロック用の操作レバーは、その操作部が電子機器本体の側面又は背面を向くように設けるのが好ましい。
上記嵌合凹部を装着具に、嵌合凸部を取付台にそれぞれ設け、上記操作レバーを上記装着具に設けるか、あるいは上記嵌合凹部を取付台に、嵌合凸部を装着具にそれぞれ設け、上記ロック機構の操作レバーを上記取付台に設けてもよい。
上記嵌合凸部と嵌合凹部の一方の側面の少なくとも一部を、他方の抜けを阻止するテーパ面に形成することにより上記抜け止め形状にするとよい。そのテーパ面を形成した部材に型抜き用の開口を形成するとよい。
上記嵌合凸部と嵌合凹部の側面の少なくとも一方を円錐面に形成すると、上記嵌合凸部と嵌合凹部が相対回転し易くなる。
上記操作部材（レバー）の上記テーパ面と対向する面も、該テーパ面と逆方向に傾斜したテーパ面に形成するとよい。
【０００７】
この発明はまた、上記取付台と装着具の少なくともいずれか一方に接続コードを保持あるいは収納する部材を兼ねた把持部を設けたアタッチメント装置も提供する。
上記把持部を、電子機器本体に取り付けられた状態において、該電子機器本体と対向する側の面（内側の面）が凹面で、その反対側の面（外側の面）が凸面となる形状にすると、接続コードを巻き付けて収容し易く、且つ背後の壁面に傷を付けないようにすることができる。
【０００８】
上記接続コードは、上記付属装置と電子機器本体又は他の電子機器とを電気的に接続するためのコード、あるいは電子機器本体の電源コード、ＭＩＤＩコード等のケーブルであり、これらのケーブルを接続して使用する際に、対向壁に圧迫されないように、上記把持部がプロテクタとしても機能する。また、電子機器を使用しないときには、その把持部が上記接続コードを巻き取って収納する収納部として機能する。
【０００９】
【発明の実施の形態】
以下、この発明の好ましい実施の形態を図面を参照して説明する。
これから説明する実施形態では、可搬形電子鍵盤楽器（以下「電子楽器」という）に取り付ける付属装置がスピーカユニットである場合について説明するが、この発明によるアタッチメント装置はこれ以外の各種電子機器に種々の付属装置を取り付けるためにも同様に使用できるものである。
【００１０】
まず、図１から図３によって、この発明によるアタッチメント装置の使用例の概要を説明する。
図１は、この発明の一実施形態であるアタッチメント装置を用いて電子楽器にスピーカユニットを取り付けた状態を示す側面図であり、図２は、電子楽器の上面の両端部付近に一対のスピーカユニットを取り付けた状態を示す概略斜視図である。図３は、電子楽器に一対の取付台だけを固着してその把持部に接続コードを巻き付けた収納状態を示す概略平面図である。
【００１１】
図１において、 電子楽器１は、その外装ケースが樹脂製の上ケース１１と下ケース１２とが嵌合して、後述するボスに止めねじをねじ込むことによって一体的に固着されている。その上ケース１１の手前側に鍵盤部１３が設けられ、上面１１ａには操作パネル部や表示器などが設けられている。その上ケース１１の上面１１ａの後端部付近から背面１１ｂにかけての角部付近で、図２および図３に示す鍵配列方向の両側部付近に、この発明による一対のアタッチメント装置３の取付台３０をそれぞれ固着するように構成される。その固着手段については後述する。
【００１２】
この取付台３０は、円形台座３１と取付部３３と把持部３４を備え、図３に示すように円形台座３１と同心円状にその上面から突出するように、逆円錐台形の嵌合凸部３２が設けられている。その詳細は後述する。
把持部３４は、上ケース１１の背面１１ｂに沿う取付部３３から後方にほぼ水平方向に突出する支柱部３４ａと、その両側に一体に設けられてほぼ垂直方向に延びる一対の把持片３４ｂ，３４ｂからなる。
一方、付属装置である一対のスピーカユニット２は、それぞれ樹脂製のボックス２１の内部に複数のスピーカを内蔵しており、正面がスピーカグリル２２になっている。その各スピーカユニット２のボックス２１の下面２１ａに、それぞれれこの発明によるアタッチメント装置３の装着具４０を固着している。その固着手段についても後述する。
【００１３】
この装着具４０は、円形キャップ型の基体４１と、その開口部４１ａから外部に突出する嵌合ロック用の操作部材である操作レバー４３を基体４１に対して回動自在に備えており、基体４１の内部には図４等によって後述する嵌合凹部４２が形成されている。
このアタッチメント装置３の取付台３０の嵌合凸部３２（図３）を、装着具４０の操作レバーをロック解除位置に回動した状態で、基体４１内の図４等に示す嵌合凹部４２に嵌合させ、取付台３０と装着具４０とを合わせ面（取付台３０の上面と装着具４０の下面）にて合わせた後、操作レバー４３をロック位置に回動してロックした状態を、図１に示している。
【００１４】
この状態から、操作レバー４３をロック解除方向へ途中まで回動すると、取付台３０と装着具４０は、その嵌合凸部と嵌合凹部のロックが解除され、相対回動可能になるので、図２に示すようにスピーカユニット２を電子楽器１に対して矢印Ａ，Ｂ方向に自由に回動させることができる。したがって、用途に応じて、演奏者が練習する場合にはスピーカグリル２２を演奏者側（鍵盤部１３がある方向）に向け、聴衆が居る会場で演奏する場合にはスピーカグリル２２を聴衆側へ向けるなど、各スピーカユニット２の向きを任意に変えることができる。そして、その位置で操作レバー４３をロック位置へ回動すると、スピーカユニット２は回動および離脱不能に固定される。
また、操作レバー４３をロック解除位置へ回動したときには、スピーカユニット２を操作レバー４３側へ若干スライドさせて持ち上げることによって、電子楽器１から簡単に取り外すことができる。
【００１５】
図３は、アタッチメント装置３の取付台３０に設けられた把持部３４の使用例を示している。この把持部３４は、取付台３０を電子楽器１に取り付けるときには、作業者がこれを握って取付台３０を押える取手（ハンドル）として使用される。また、電子楽器１の使用中あるいは使用しない収納時（保管時）には接続コード５を保持あるいは収納する部材として使用される。
その接続コード５は、付属装置であるスピーカユニット２と電子機器本体である電子楽器１又は他の電子機器とを電気的に接続するためのコード、あるいは電子楽器１の電源コード、ＭＩＤＩコード等のケーブルであり、これらの接続コードを接続して電子楽器１を使用する際に、背後に対向壁６があってもそれに接続コード５が圧迫されないように、一対の把持部３４が対向壁６と電子楽器１の背面１１ｂとの間隔を保つプロテクタとしても機能する。
【００１６】
さらに、電子楽器１を使用しないときには、把持部３４がその支柱部３４ａと把持片３４ｂとにより、接続コード５を巻き取って収納する収納部として機能する。
この把持部３４の各把持片３４ｂは、図１に示すように取付台３０が電子楽器１に取り付けられた状態において、電子楽器１と対向する側の面（内側の面）３４ｃが凹面で、その反対側の面（外側の面）３４ｄが凸面となる形状に形成されており、接続コード５を巻き付けて収納し易く、且つ背後の壁面に傷を付けないようにすることができる。
電子楽器１の背面に突出する一対の把持部３４，３４にそれぞれ個別に接続コードを引っ掛けたり巻き付けたりして保持あるいは収納させてもよいし、図３に示したように、一対の把持部３４，３４の間に長い接続コード５を掛け渡したり巻き付けたりして、保持あるいは収納させることもできる。
【００１７】
次に、図４乃至図７と図１０によって上述したアタッチメント装置の構造および取付状態の詳細を説明する。
図４は、アタッチメント装置３の取付台３０を電子楽器１に、装着具４０をスピーカユニット２にそれぞれ固着した状態を装着具４０側のみ断面にして示す背面図である。図５は図４のＣ−Ｃ線に沿う取付台３０の把持部３４を除く拡大断面図、図６は装着具４０を固着したスピーカユニット２の下面図、図７は図４に示した状態からから電子楽器１にスピーカユニット２を取り付けてロックした状態を装着具４０のみ図６のｄ−ｄ線に沿う断面にして示す背面図である。
【００１８】
図４に示す取付台３０は、図３にも示したように円形台座３１と取付部３３と把持部３４を備え、円形台座３１と同心円状にその上面から突出するように、逆円錐台形の嵌合凸部３２が設けられている。
その円形台座３１は、図５にその断面をを示すように、逆円錐台形の皿状に形成され、底面に電子楽器１の上面の傾斜に対して円形台座３１を水平状態に保持するためのスペーサとなる段部３１ａが形成され、背面側には下方に延びる取付部３３とその補強部３１ｂを一体に形成している。
【００１９】
その円形台座３１内には、中心部にボス部３１ｃが、その周囲に円筒状の嵌合凸部支持部３１ｄが設けられ、さらにその外側に環状リブ３１ｅと多数の放射状リブ３１ｆが設けられている。また、底面の中央部には下方に延びる位置決め用突起３１ｇが設けられている。この突起３１ｇは後述する図１０の溝１１ｇおよび孔１１ｅに嵌合されるものである。
取付部３３の電子楽器１の背面に当接する面には、把持部３４を固着するねじの頭の高さ分以上の深さの溝部３３ａを設け、長手方向に間隔を置いて一対の取付ねじ用の孔３３ｂと、その中間部に把持部３４を固着するためのねじ用の孔３３ｃとが設けられている。
これらの円形台座３１の各部と取付部３３とは、樹脂によって一体成形されている。
【００２０】
嵌合凸部３２も図５に示すように逆円錐台形の小皿状に形成され、その底部が円形に凹陥して嵌合底部３２ａとなっており、円形台座３１の嵌合凸部支持部３１ｄに嵌合する。そのとき、嵌合凸部支持部３１ｄの外周に設けた突片がａ嵌合底部３２ａの内周に形成された溝ｂに嵌入して回り止めがなされる。この嵌合凸部３２内にも環状リブ３２ｂと放射状リブ３２ｃが形成されている。
そして、この嵌合凸部３２の嵌合底部３２ａの中心に形成された孔に嵌合凸部取付用のねじ３５を挿入して円形台座３１のボス部３１ｃのねじ孔へねじ込んで、嵌合凸部３２を円形台座３１上に相対回動不能に固着する。
【００２１】
この取付台３０の把持部３４は、図４および先に説明した図１および図３にも示したように、電子楽器１の背面に沿う取付部３３からほぼ水平方向に突出する支柱部３４ａと、その先端部の両側に一体に設けられてほぼ垂直方向に延びる一対の把持片３４ｂ，３４ｂとからなる。この把持部３４は、図１０に示すように、ねじ３６が取付部３３の孔３３ｃ（図５）を通して支柱部３４ａにねじ込まれて、取付部３３に固着される。
そして、同じく図１０に示すように、円形台座３１の下面の位置決め用突起３１ｇを電子楽器１の上ケース１１の上面１１ａに形成された位置決め用の孔１１ｃに嵌入させて、段部３１ａを上面１１ａに当接させ、取付部３３を上ケース１１の背面１１ｂに当接させ、取付ねじ用の孔３３ｂ，３３ｂ（図５）にそれぞれ取付用のねじ３７，３７を挿入して、上ケース１１の背面１１ｂのねじ孔にねじ込んで、取付台３０を電子楽器１に固着する。
【００２２】
一方、装着具４０は、図４および図６に示すように、円形キャップ型の基体４１の一側部に開口部４１ａを形成し、内側に中心から等距離だけ離れて対向する一対の平行なリブ壁４１ｂ，４１ｂと、その開口部４１ａから遠い方の各端部間に設けた傾斜壁４１ｃとによって、取付台３０の嵌合凸部３２を嵌合させる嵌合凹部４２を形成している。
この嵌合凹部４２を形成する一対のリブ壁４１ｂ，４１ｂの対向する面の間隔Ｄａ（図６）は、取付台３０の嵌合凸部３２の最大外径Ｄｂ（図５）より若干広くかつＤａ≒Ｄｂとしている。傾斜壁４１ｃの内側の側面は、嵌合凸部３２の外周面と同じ向きのテーパ面４１ｄ（図４）をなし、抜け止め形状になっている。そのテーパ面４１ｄに、滑り止め用のゴム片４４を貼り付けている。また、この傾斜壁４１ｃは、基体４１を樹脂によって成形する際に型抜きができなくなるアンダカット部となる。そのため、基体４１の上面部の傾斜壁４１ｃに対応する部分より大きく型抜き用の開口４１ｅを形成している。
【００２３】
この基体４１は、傾斜壁４１ｃの外側で、ボルト４５とナット４６とによって、スピーカユニット２のボックス２１の下面２１ａに固着される。また、開口部４１ａの内側部も、操作レバー４３の軸受部４３ａと共にボルト４７とダブルナット４８とによってボックス２１の下面２１ａに取り付けられるが、操作レバー４３は図６に示すロック解除位置とロック位置との間で矢印方向に回動自在に装着される。
操作レバー４３の内端部の前述した取付台３０の嵌合凸部３２の外周面と係合する面は、操作レバー４３の回動中心と同心の円弧状で且つテーパ面４１ｄとは逆方向に傾斜したテーパ面４３ｂとなっている。この操作レバー４３の操作部は基体４１の開口部４１ａから外部に突出しているが、大きく突出せずに且つ操作し易いように「く」の字状に曲っており（図４では簡略化して真っ直ぐにして短かく示している）、その先端面４３ｃには滑り止めの細かい溝が上下方向に形成されている。
【００２４】
これらの逆円錐台状の嵌合凸部３２と、嵌合凹部４２を構成するゴム片４４を貼付した傾斜壁４１ｃおよび操作レバー４３とによって、ロック機構を構成している。
そして、図６に示すように操作レバー４３をロック解除位置に回動すると、嵌合凹部４２を形成する傾斜壁４１ｃのテーパ面４１ｄと操作レバー４３のテーパ面４３ｂとの最小間隔（最下部の間隔）が、取付台３０の嵌合凸部３２の最大外径より広くなる。その状態で、スピーカユニット２を下面２１ａを下にして縦に持って、装着具４０を図４に示すように電子楽器１に固着された取付台３０に対してその中心位置を合わせるようにして降ろせば、取付台３０の嵌合凸部３２を装着具４０の嵌合凹部４２に嵌合させることができる。
【００２５】
そして、操作レバー４３を図６に示したロック位置へ回動させると、傾斜壁４１ｃのテーパ面４１ｄと操作レバー４３のテーパ面４３ｂとの間隔が、取付台３０の嵌合凸部３２の外径と高さ方向の全域でほぼ同じになり、ゴム片４４を圧縮するため、その弾発力によって強くロック及び抜け止めされる。図７はその状態を示している。
取付台３０の嵌合凸部３２を装着具４０の嵌合凹部４２に嵌合させ、図４に示す取付台３０の合わせ面３０ａと装着具４０の合わせ面４０ａとを合わせた状態で、操作レバー４３をロック位置方向へ途中まで回動させた状態にすると、テーパ面４１ｄとテーパ面４３ｂの最小間隔が嵌合凸部３２の最大外形より狭くなって、嵌合凸部３２の外周のテーパ面に対して抜け止めがなされる。すなわち、装着具４０の傾斜壁４１ｃと操作レバー４３のテーパ面４３ｂによって、取付台３０の嵌合凸部３２の抜けを阻止する。
【００２６】
したがって、スピーカユニット２を電子楽器１から離脱できなくなるが、嵌合凸部３２は嵌合凹部４２と嵌合した状態で回転可能であり、図２に矢印Ａ，Ｂで示したように回転させて向きを変えることは自由にできる。そこで、各スピーカユニット２を所望の方向に向けた後、操作レバー４３を完全にロック位置に回動することにより、各スピーカユニット２をその位置で固定することができる。
またその状態から、操作レバー４３をロック解除方向へ途中まで回動させれば、スピーカユニット２を回動させてその向きを変更することができ、完全にロック解除位置まで回動させれば、スピーカユニット２を操作レバー４３側へ若干スライドさせて持ち上げることによって、電子楽器１から簡単に取り外すこともできる。
【００２７】
次に、この実施形態に用いた電子楽器１の上ケース１１と下ケース１２の結合構造と、その引け防止溝とその利用方法について、図８乃至図１１によって説明する。
図８は電子楽器１の上下ケース内のボスおよび補強用リブを形成した部位を拡大して示す断面図（但しボスの上部と下部では断面位置が異なっている）、図９はその上ケース１１内に形成されたボスと補強用リブの一部だけを示す下面図である。図１０は電子楽器１の上ケース１１の上面と背面のコーナ部に取付台を固着した状態を示す図８と同様な断面図、図１１は上面後縁付近に引け防止溝を形成した電子楽器の斜視図である。
【００２８】
この電子楽器１の外装ケースは上ケース１１と下ケース１２とからなり、図８乃至図１０に示すように、上ケース１１の上面１１ａを形成する上パネル部１１Ａの背面１１ｂに近い位置の内側に、下ケース結合用のテーパを有する円柱状のボス１１ｄを下方に垂下して設けている。そのボス１１ｄは上ケース１１の幅方向（図８では紙面に垂直な方向）に間隔を置いて複数本設けられ、それぞれその上部と上部パネル部１１Ａとの間に、背面１１ｂに平行な方向と直交する方向に４枚ずつの補強用リブ１１ｅが一体に形成されている。各ボス１１ｄの下部には下端面からねじ孔１１ｆ形成されている。
また、この上ケース１１の下側に嵌合する下ケース１２の後端付近の高段部１２ａの内側に、各ボス１１ｄと対向する位置にそれぞれ透孔１２ｃを有するフランジ部１２ｂを一体に形成している。
この上ケース１１と下ケース１２を図８に示すように嵌合させ、上ケース１１のボス１１ｄと下ケース１２のフランジ部１２ｂとを当接させ、透孔１２ｃを通して取付ねじ１５をボス１１ｄのねじ孔１１ｆにねじ込んで、上ケース１１と下ケース１２とを結合する。
【００２９】
このような外装ケース構造において、上ケース１１にボス１１ｄとその補強用リブ１１ｅを樹脂によって一体成形すると、その上面１１ａのボス１１ｄおよびリブ１１ｅと反対側の位置に引けによる凹みが生じる。
そこで、この引けによる凹みの発生を防ぐために、上ケース１１の複数のボス１１ｄとその配列方向に沿う各リブ１１ｅを設ける位置の外側の上面１１ａに、その配列方向に沿って引け防止用の溝１１ｇを設ける。その引け防止用溝１１ｇの幅をＤ１とすると、ボス１１ｄの上端部の径Ｄ２およびリブ１１ｅの厚さＤ３との関係を、Ｄ２＞Ｄ１、Ｄ３＜Ｄ１を満たすようにするのが望ましい。このように初めから溝を設けておくことによって、引けが生じないか、生じたとしても目立たなくすることができる。
【００３０】
さらにこの実施形態では、図１０および図１１に示すように、この引け防止用の溝１１ｇ内に、前述した取付台３０の下面に設けた位置決め用突起３１ｇを嵌入させる位置決め用の孔１１ｃを形成している。
そして、取付台３０の把持部３４を把持して、その下面に設けた位置決め用突起３１ｇを電子楽器１の上ケース１１の上面１１ａの引け防止用の溝１１ｇ内に形成された位置決め用の孔１１ｃに嵌入させて位置決めし、取付部３３を上ケース１１の上面１１ａに隣接する背面１１ｂに当接させ、図１０に示すように取付ねじ３７，３７によって取付部３３をその背面１１ｂに結合させ、取付台３０を電子楽器１に固着することができる。
この取付台３０に、スピーカユニット２の下面に固着した装着具４０を嵌合させてロックすれば、電子楽器１上にその付属装置であるスピーカユニット２を固着することができる。
【００３１】
図１１はその電子楽器１の外観例を示す斜視図であり、その上ケース１１の手前側に鍵盤部１３を備え、上面１１ａには操作部パネル部１６やＬＣＤ等による表示器１７などが設けられており、左右両端部付近はスピーカユニットの載置スペースになっている。
そして、この上ケース１１の上面１１ａの後縁付近に、その長手方向のほぼ全長に亘って引け防止の溝１１ｇを形成しており、スピーカユニット載置位置に対応して、その引け防止の溝１１ｇ内に位置決め用の孔１１ｃを形成している。
【００３２】
さらに、この引け防止用の溝１１ｇ内の長手方向の中央部寄りに一対の譜面台支持用の孔１１ｈ，１１ｈを形成している。そして、図示しない板状の譜面台の下面にその長手方向に延びる突条と一対の突起とを形成し、その突条を引け防止用の溝１１ｇに嵌入させ、一対の突起を譜面台支持用の孔１１ｈ，１１ｈに嵌入させることにより、譜面台を必要なときに簡単に装着することができる。
これらの孔１１ｃ，１１ｈに代えて、引け防止用の溝１１ｇより深い凹部を設けてもよい。あるいは、長手方向の位置決めをしなくてもよい場合には、引け防止用の溝１１ｇのみでも次のように利用することができる。すなわち、前述の取付台や各種の付属装置（照明器具、譜面台、コンピュータ用ディスプレイ、スピーカ、外付けＨＤＤ、サブの電子鍵盤楽器、筆記又は作曲用小机など）に直接、引け防止用の溝１１ｇに嵌合する突起又は突条部を設けることにより、その突起又は突条部を引け防止用の溝１１ｇに嵌入させて、その付属装置等を仮支持させ、必要に応じて背面等に結合する結合部を設け、その結合部をねじ止めなどによって、電子楽器１等の電子機器本体に固着することができる。
【００３３】
次に、この発明によるアタッチメント装置の種々の変更例について説明する。
この発明によるアタッチメント装置は、上述した実施形態に限るものではなく、種々の変更が可能であり、適用する装置も電子楽器に限らず、種々の電子機器本体に各種の付属装置を着脱容易で向きを自由に変えられるように取り付けるために使用できる。
上述の実施形態では、取付台に嵌合凸部を設け、装着具に嵌合凹部を設けたが、これを逆にして、取付台に嵌合凹部を、装着具に嵌合凸部をそれぞれ設けるようにしてもよい。また、操作レバーも取付台側に設けてもよい。
操作レバーは、電子機器本体への通常の取付状態で、その操作部が電子機器本体の側面又は背面を向くように設けるのが好ましい。
【００３４】
嵌合凸部と嵌合凹部の抜け止め形状は、双方を抜けを阻止する方向に傾斜するテーパ面に形成した例を説明したが、嵌合凸部と嵌合凹部の側面の少なくとも一方を円錐面に形成すると、嵌合凸部と嵌合凹部とが嵌合した状態で相対回転し易くなる。
把持部も取付台側に限らず装着具側に設けてもよいし、あるいは取付台側と装着具側の両方に設けてもよい。その形状も前述の実施形態に示したものに限るものではなく、前述したような各種の接続コードを保持あるいは収納することができ、電子機器本体と背後の壁面との間の間隔を保って、接続コードをプロテクトすることができる形状であればよい。
【００３５】
また、電子機器本体の樹脂によって成形した上ケースと下ケースの結合用のボス及び／又は補強用リブを上ケースの内側に設ける場合、その外側に引け防止溝を設け、その引け防止溝にアタッチメント装置の取付台に設けた突起又は凸部を嵌入させる孔又は凹部を設けると、引けの発生を防止し、仮に発生しても目立たなくすることができ、且つそれを利用してアタッチメント装置の位置決めを容易に行える。また、その引け防止溝を利用して、前述したような各種の付属装置を電子機器本体に容易に支持あるいは仮係止させて、取り付けることが可能である。
【００３６】
【発明の効果】
以上説明してきたように、この発明によるアタッチメント装置を使用すれば、電子機器本体に付属装置を簡単に取り付けおよび取り外しができ、且つ付属装置を電子機器本体に取り付けた状態で、その向きを任意に変えることができる。
あるいは、そのアタッチメント装置に後方に突出する把持部を設けることにより、付属装置と電子機器機器本体とを電気的に接続するための接続コード、付属装置又は電子機器本体と他の電子機器とを接続するケーブルや電源コードなどを容易に収納したり保護することもできる。
【図面の簡単な説明】
【図１】この発明の一実施形態であるアタッチメント装置を用いて電子楽器にスピーカユニットを取り付けた状態を示す側面図である。
【図２】同じく上面の両端部付近に一対のスピーカユニットを取り付けた電子楽器の概略斜視図である。
【図３】同じく電子楽器に一対の取付台だけを固着してその把持部に接続コードを巻き付けた収納状態を示す概略平面図である。
【図４】この発明によるアタッチメント装置の取付台を電子楽器に、装着具をスピーカユニットにそれぞれ固着した状態を装着具側のみ図６のｄ−ｄ線に沿う断面にして示す背面図である。
【図５】図４のＣ−Ｃ線に沿う取付台の把持部を除く拡大断面図である。
【図６】図４に示した装着具を固着したスピーカユニットの下面図である。
【図７】図４に示した状態から電子楽器にスピーカユニットを取り付けてロックした状態を装着具のみ図６のｄ−ｄ線に沿う断面にして示す背面図である。
【図８】電子楽器の上下ケース内のボスおよび補強用リブを形成した部位を拡大して示す断面図である。
【図９】同じく上ケース内に形成されたボスと補強用リブの一部だけを示す下面図である。
【図１０】同じく電子楽器の上ケースの上面と背面のコーナ部に取付台を固着した状態を示す図８と同様な断面図である。
【図１１】上面後縁付近に引け防止溝を形成した電子楽器の例を一部切除して示す斜視図である。
【符号の説明】
１…携帯型キーボード等の電子楽器（電子機器本体）、２…スピーカユニット（付属装置）、３…アタッチメント装置、５…接続コード、６…対向壁、１１…上ケース、１１ａ…上面、１１ｂ…背面、１１ｃ…位置決め用の孔、１１ｄ…下ケース結合用のボス、１１ｅ…補強用リブ、１１ｆ…ねじ孔、１１ｇ…引け防止用の溝、１１ｈ…譜面台支持用の孔、１２…下ケース、１２ａ…高段部、１２ｂ…フランジ部、１２ｃ…透孔、１３…鍵盤部、１５…取付ねじ、２１…ボックス、２２…スピーカグリル、３０…取付台、３１…円形台座、３１ａ…段部、３１ｂ…補強部、３１ｃ…ボス部、３１ｄ…嵌合凸部支持部、３１ｅ…環状リブ、３１ｆ…放射状リブ、３１ｇ…位置決め用突起、３２…嵌合凸部、３２ａ…嵌合底部、３２ｂ…環状リブ、３２ｃ…放射状リブ、３３…取付部、３４…把持部、３４ａ…支柱部、３４ｂ…把持片、３４ｃ…内側の面、３４ｄ…外側の面、３５，３６，３７…ねじ、４０…装着具、４１…円形キャップ型の基体、４１ａ…開口部、４１ｃ…傾斜壁、４１ｄ…テーパ面、４１ｅ…型抜き用の開口、４２…嵌合凹部、４３…操作レバー（操作部材）、４４…ゴム片、４５，４７…ボルト、４６…ナット、４８…ダブルナット、
【図１】
0003951756.tif 000002
【図２】
0003951756.tif 000003
【図３】
0003951756.tif 000004
【図４】
0003951756.tif 000005
【図５】
0003951756.tif 000006
【図６】
0003951756.tif 000007
【図７】
0003951756.tif 000008
【図８】
0003951756.tif 000009
【図９】
0003951756.tif 000010
【図１０】
0003951756.tif 000011
【図１１】
0003951756.tif 000012